(57)【要約】【課題】電動機のステータの形状を変更することなく、圧縮機の振動を抑える。【解決手段】電動機（20）のステータ（22）に、ステータ（22）のスロット部（26）を流れる流体の流れ方向に沿った略流線形状のガイド面（2）を有するガイド部（1）を取り付ける。【選択図】図３
2014117007.tif 000002
【特許請求の範囲】
【請求項１】
ケーシング（11）と、
前記ケーシング（11）に収容された圧縮機構（30）と、
前記ケーシング（11）に収容され、前記圧縮機構（30）に連結されるロータ（29）と該ロータ（29）の周囲に配置されたステータ（22）とを有する電動機（20）と、
前記電動機（20）のステータ（22）に取り付けられ、前記ステータ（22）のスロット部（26）を流れる流体の流れ方向に沿った略流線形状のガイド面（2）を有するガイド部（1）と、
を備えていることを特徴とする圧縮機。
【請求項２】
請求項１において、
前記ガイド部（1）は、前記電動機（20）のステータ（22）が有するコイル（25）のコイルエンドに取り付けられていることを特徴とする圧縮機。
【請求項３】
請求項２において、
前記ガイド部（1）は、断面視で略尖形の頂部（6）を有する凸状に形成され、
前記ガイド部（1）のガイド面（2）は、該ガイド部（1）の頂部（6）から底部（7）へ向かって緩やかに湾曲する曲面で構成されていることを特徴とする圧縮機。
【請求項４】
請求項３において、
前記ガイド部（1）の底部（7）の幅（L）は、前記ステータ（22）のコイル（25）が巻回されるティース（24）の周方向幅と同一の寸法であることを特徴とする圧縮機。
【発明の詳細な説明】
【技術分野】
【０００１】
本発明は、ケーシング内に電動機を収容した圧縮機に関し、特に電動機のステータの振動対策に係るものである。
【背景技術】
【０００２】
従来より、互いに駆動軸で連結された圧縮機構及び電動機をケーシング内に収容した圧縮機が知られている（特許文献１を参照）。そして、これらの圧縮機の中には、圧縮機構の吐出流体が電動機のスロット部を通過した後にケーシングの外側へ流出するものがある。
【０００３】
特許文献１の圧縮機では、電動機の上側にケーシングを貫通して流出管が設けられている。また、電動機の下側に圧縮機構が配置されている。このケーシングにおいて、電動機と圧縮機構の間には第１空間が区画され、電動機の上側には第２空間が区画されている。また、電動機のステータのティース間にはスロット部が形成されている。このスロット部は、第１空間と第２空間とに開口している。圧縮機構からケーシングの第１空間へ吐出された流体は、電動機のスロット部を通過してケーシングの第２空間へ流入した後で、ケーシングの流出管からケーシングの外側へ流出する。
【先行技術文献】
【特許文献】
【０００４】
【特許文献１】特開平３−１１１６９２号公報
【発明の概要】
【発明が解決しようとする課題】
【０００５】
しかしながら、従来の圧縮機の場合、電動機の性能を重視して電動機のステータの形状を決めているため、電動機のスロット部を流体通路として最適な形状にすることができないという問題がある。このため、スロット部から第２空間へ流出した流体の拡大流れによって、第２空間に渦が発生し、この渦の発生により、第２空間に負圧が生じる。スロット部を通過する流体の量は、圧縮機の運転周波数に応じてが変動するため、第２空間の負圧が増減して電動機が加振される。この結果、圧縮機全体が振動してしまう。
【０００６】
本発明は、かかる点に鑑みてなされたものであり、その目的は、電動機のステータの形状を変更することなく、圧縮機の振動を抑えることにある。
【課題を解決するための手段】
【０００７】
第１の発明は、ケーシング（11）と、前記ケーシング（11）に収容された圧縮機構（30）と、前記ケーシング（11）に収容され、前記圧縮機構（30）に連結されるロータ（29）と該ロータ（29）の周囲に配置されたステータ（22）とを有する電動機（20）と、前記電動機（20）のステータ（22）に取り付けられ、前記ステータ（22）のスロット部（26）を流れる流体の流れ方向に沿った略流線形状のガイド面（2）を有するガイド部（1）とを備えている。
【０００８】
第１の発明では、圧縮機構（30）から吐出された流体が、電動機（20）のスロット部（26）へ流入した後に該スロット部（26）から流出する際に、ガイド部（1）のガイド面（2）に沿って剥離せずに流れる。その流れは、スロット部（26）の流出口よりも下流側の領域へ向かって渦の発生が抑制されながら拡大する。
【０００９】
第２の発明は、第１の発明において、前記ガイド部（1）は、前記電動機（20）のステータ（22）が有するコイル（25）のコイルエンドに取り付けられている。
【００１０】
第２の発明では、電動機（20）のステータ（22）のコイル（25）間に存するスロット部（26）を流れる流体が、スロット部（26）の両側のコイル（25）のコイルエンドに取り付けられたガイド部（1）のガイド面（2）に沿って剥離せずに流れ、その流れが前記スロット部（26）の流出口よりも下流側の領域へ向かって渦の発生が抑制されながら拡大する。
【００１１】
第３の発明は、第２の発明において、前記ガイド部（1）は、断面視で略尖形の頂部（6）を有する凸状に形成され、前記ガイド部（1）のガイド面（2）は、該ガイド部（1）の頂部（6）から底部（7）へ向かって緩やかに湾曲する曲面で構成されている。
【００１２】
第３の発明では、電動機（20）のスロット部（26）から流体が流出する際に、ガイド部（1）の底部（7）から頂部（6）へ向かって該ガイド部（1）の曲面に沿うように流れる。その流れは、スロット部（26）の流出口よりも下流側の領域へ向かって渦の発生を抑制しながら拡大する。
【００１３】
第４の発明は、第３の発明において、前記ガイド部（1）の底部（7）の幅（L）は、前記ステータ（22）のコイル（25）が巻回されるティース（24）の周方向幅と同一の寸法である。
【００１４】
第４の発明では、電動機（20）のスロット部（26）を流れる流体が、該スロット部（26）に対面する前記コイル（25）の側面から前記ガイド部（1）のガイド面（2）へ亘ってスムーズに流れる。
【発明の効果】
【００１５】
本発明によれば、電動機（20）にガイド部（1）を取り付けたので、電動機（20）のスロット部（26）の下流側での渦の発生が抑制される。これにより、渦の発生に起因する電動機（20）の加振力が低減する。以上より、電動機（20）のステータ（22）の形状を変更することなく、圧縮機の振動を抑えることができる。
【００１６】
また、上記第２の発明によれば、電動機（20）のコイル（25）のコイルエンドにガイド部（1）を取り付けたので、電動機（20）のスロット部（26）の流出口の両側にガイド部（1）を配置することができる。これにより、電動機（20）のスロット部（26）を流出する流体を２つのガイド部（1）のガイド面（2）で整流することができ、スロット部（26）の下流側での渦の発生を確実に抑えることができる。
【００１７】
また、上記第３の発明によれば、ガイド部（1）のガイド面（2）を、該ガイド部（1）の頂部（6）から底部（7）へ向かって緩やかに湾曲する曲面で構成したので、電動機（20）のスロット部（26）の下流側での渦の発生が抑制される。これにより、電動機（20）の加振力が低減することができる。
【００１８】
また、上記第４の発明によれば、ガイド部（1）の底面の幅（L）とティース（24）の周方向幅（L）とを同一の寸法にしたので、電動機（20）のスロット部（26）の流体がコイル（25）の側面からガイド部（1）のガイド面（2）へ亘ってスムーズに流れる。これにより、スロット部（26）からガイド部（1）までの流体の流れが乱れにくくなり、電動機（20）のスロット部（26）の下流側での渦の発生をさらに抑制することができる。
【図面の簡単な説明】
【００１９】
【図１】図１は、本実施形態の圧縮機の縦断面図である。
【図２】図２は、図１のＡ−Ａ断面図である。
【図３】図３は、電動機のステータに取り付けたガイド部付近の斜視図である。
【図４】図４は、電動機のステータに取り付けたガイド部付近の断面図である。
【発明を実施するための形態】
【００２０】
以下、本発明の実施形態を図面に基づいて詳細に説明する。尚、以下の実施形態は、本質的に好ましい例示であって、本発明、その適用物、あるいはその用途の範囲を制限することを意図するものではない。
【００２１】
本実施形態の圧縮機（10）は、図１に示すように、圧縮機構（30）及び電動機（20）が駆動軸（35）で連結された状態でケーシング（11）内に収容された、いわゆる密閉型の圧縮機である。本実施形態では、圧縮機構（30）の上側に電動機（20）が配置されている。この圧縮機（10）は、例えば冷凍サイクルを行う冷媒回路に接続されて該冷媒回路内で冷媒を循環させるものである。
【００２２】
ケーシング（11）は、上下に延びる円筒状の胴部（11a）と、該胴部（11a）の上側開口部を閉塞する椀状の上部鏡板部（11b）と、該胴部（11a）の下側開口部を閉塞する椀状の下部鏡板部（11c）とを有している。このケーシング（11）は、胴部（11a）の上側に上部鏡板部（11b）を溶接で固定し、胴部（11a）の下側に下部鏡板部（11c）を溶接で固定することによって密閉容器に構成されている。ケーシング（11）の上部鏡板部（11b）の頂部を貫通して吐出管（13）が取り付けられている。圧縮機構（30）からケーシング（11）内へ吐出された冷媒は、この吐出管（13）を通じてケーシング（11）の外側へ流出する。ケーシング（11）の胴部（11a）の下側部分には吸入管（12）が取り付けられている。この吸入管（12）の端部は圧縮機構（30）の吸入口に連通している。また、圧縮機構（30）の吐出口は、ケーシング（11）内に開口している。
【００２３】
圧縮機構（30）は、いわゆる偏心回転式ピストン機構である。この圧縮機構（30）はシリンダ（31）とピストン（32）を備えている。ピストン（32）はシリンダ（31）の内部に収容されている。このピストン（32）は、偏心して駆動軸（35）に取り付けられてシリンダ（31）の内部を偏心回転する。シリンダ（31）とピストン（32）との間に圧縮室（S）が形成されている。ピストン（32）の偏心回転に伴ってケーシング（11）の吸入管（12）を通じて流体が圧縮室（S）へ吸入されて該圧縮室（S）内で圧縮された後に、ケーシング（11）内へ吐出される。
【００２４】
電動機（20）は、ステータ（21）とロータ（29）とを備えている。ロータ（29）は、円柱状に形成されている。ロータ（29）の中央部分には、駆動軸（35）が挿通されて固定されている。ロータ（29）は、永久磁石（28）を備えている。
【００２５】
ステータ（21）は、図２に示すように、ロータ（29）の外周面から所定の距離（G）をおいて、該ロータ（29）の外周面を径方向外方側から覆うようにケーシング（11）内に配置されている。ステータ（21）は、ステータコア（22）と、コイル部（25）とを備えている。
【００２６】
ステータコア（22）は、複数の鋼板（P）が軸方向に積層されることにより形成される。各鋼板（P）は、互いに同じ形状となるように、プレス加工によって形成されている。このステータコア（22）は、円筒状のコアバック（23）と、該コアバック（23）の内周面から径方向内方に突出するように形成される複数のティース（24）とを備えている。各ティース（24）は、周方向に等間隔となるように配列されている。ティース（24）とティース（24）との間にはスロット部（26）が形成されている。このスロット部（26）は、ステータコア（22）の軸方向へ延びて該ステータコア（22）の両端面に開口している。このスロット部（26）が、ケーシング（11）内を流れる流体の流体通路を構成する。
【００２７】
コイル部（25）は、いわゆる分布巻きによって、各ティース（24）に巻回されている。コイル部（25）とティース（24）との間には絶縁体（27）が挿入されている。コイル部（25）のうちステータコア（22）よりも軸方向外方に位置する部分は、コイルエンド部（25a）を構成している。コイル部（25）には、電源装置（図示省略）によって所定の電流が流れる。これにより、ステータ（21）内に回転磁界が発生する。このコイル部（25）の上面にガイド部（1）が取り付けられている。
【００２８】
このガイド部（1）は、樹脂製の平板を略流線形に折り曲げたような形状に形成されている。ガイド部（1）は、その頂部（6）が略尖形に形成され、この略尖形の頂部（6）から底部（7）へ向かって緩やかに広がりながら湾曲する曲面（2）を有している。この曲面（2）が、略流線形状のガイド面（2）を構成する。また、ガイド部（1）の底部（7）の幅（L）は、ステータ（22）のコイル（25）が巻回されるティース（24）の周方向幅と同一の寸法になっている。
【００２９】
−運転動作−
圧縮機（10）では、電動機（20）の起動により圧縮機構（30）が動作し、該圧縮機構（30）で圧縮された流体がケーシング（11）内へ吐出される。ケーシング（11）内の電動機（20）の下側へ吐出された流体は、電動機（20）のステータ（21）のスロット部（26）に流入する。スロット部（26）の流体は、電動機（20）の下側から上側へ向かって流れる。
【００３０】
上述したように、ガイド部（1）の底面の幅（L）とティース（24）の周方向幅（L）とを同一の寸法にしているので、電動機（20）のスロット部（26）の流体がコイル（25）の側面からガイド部（1）のガイド面（2）へ亘ってスムーズに流れる。その後、その流体は、電動機（20）のスロット部（26）の流出口の両側のガイド部（1）のガイド面（2）に沿って剥離せずに流れる。その流れは、スロット部（26）の流出口よりも上側の空間へ向かって渦の発生が抑制されながら拡大する。
【００３１】
電動機（20）の上側の空間で渦の発生が抑制されるので、従来とは違い、電動機（20）の上側の空間に負圧が生じることがない。これにより、電動機（20）が加振されず、圧縮機（10）の振動が抑えられる。
【００３２】
−実施形態の効果−
本実施形態によれば、電動機（20）にガイド部（1）を取り付けたので、電動機（20）のスロット部（26）の下流側での渦の発生が抑制される。これにより、渦の発生に起因する電動機（20）の加振力が低減する。以上より、電動機（20）のステータ（22）の形状を変更することなく、圧縮機の振動を抑えることができる。
【００３３】
また、本実施形態によれば、電動機（20）のコイル（25）のコイルエンドにガイド部（1）を取り付けたので、電動機（20）のスロット部（26）の流出口の両側にガイド部（1）を配置することができる。これにより、電動機（20）のスロット部（26）を流出する流体を２つのガイド部（1）のガイド面（2）で整流することができ、スロット部（26）の下流側での渦の発生を確実に抑えることができる。
【００３４】
また、本実施形態によれば、ガイド部（1）のガイド面（2）を、該ガイド部（1）の頂部（6）から底部（7）へ向かって緩やかに湾曲する曲面で構成したので、電動機（20）のスロット部（26）の下流側での渦の発生が抑制される。これにより、電動機（20）の加振力が低減する。以上より、電動機（20）のステータ（22）の形状を変更することなく、圧縮機の振動を抑えることができる。
【００３５】
また、本実施形態によれば、ガイド部（1）の底面の幅（L）とティース（24）の周方向幅（L）とを同一の寸法にしたので、電動機（20）のスロット部（26）の流体がコイル（25）の側面からガイド部（1）のガイド面（2）へ亘ってスムーズに流れる。これにより、スロット部（26）からガイド部（1）までの流体の流れが乱れにくくなり、電動機（20）のスロット部（26）の下流側での渦の発生をさらに抑制することができる。
【産業上の利用可能性】
【００３６】
以上説明したように、本発明は、ケーシング内に電動機を収容した圧縮機に関し、特に電動機のステータの振動対策について有用である。
【符号の説明】
【００３７】
1  ガイド部
10  圧縮機
11  ケーシング
20  電動機
21  ステータ
22  ステータコア
26  スロット部
29  ロータ
30  圧縮機構
【図１】
2014117007.tif 000003
【図２】
2014117007.tif 000004
【図３】
2014117007.tif 000005
【図４】
2014117007.tif 000006